(57)【要約】      （修正有）【課題】鍵を回して施錠する錠を施錠した後、時間の経過にしたがって施錠したかの不安を解消し、施錠したかどうかの確認を容易に行うことができる施錠確認器具を提供する。【解決手段】バンド４で手の甲側の手首に、水平に装着された施錠確認器具には保持体７によって中空体６がバンド４に固着されており、施錠するときの鍵１の回転動作に伴ない回す方向に、回転によって生じる力を移動体５に与え、その移動体５が中空体６の中を設定した移動距離Ｂを移動し、移動体５に保持された接着体９と中空体６に固着されている接着体８が接着した状態になることで施錠を目視にて確認する。【選択図】図１
2016151171.tif 000002
【特許請求の範囲】
【請求項１】
バンド４で手の甲側の手首に、水平に装着され、また、保持体７によって中空体６がバンド４に固着されており、施錠するときの鍵１の回転動作に伴ない回す方向に、回転によって生じる力を移動体５に与え、その移動体５が中空体６の中を設定した移動距離Ｂを移動し、移動体５に保持された接着体９と中空体６に固着されている接着体８が接着して図１、図２の（ｂ）状態になることで施錠を目視にて確認する施錠確認器具。
【請求項２】
施錠前に、指３にて図１、図２の（ａ）状態に移動体５を移動させ、（ａ）状態を確認することを特徴とする請求項１記載の施錠確認器具。
【請求項３】
移動距離Ｂはストッパスリーブ１０およびストッパスリーブ１１にて調整設定ができることを特徴とする請求項１または、２記載の施錠確認器具。
【発明の詳細な説明】
【技術分野】
【０００１】  本発明は手首に装着し、鍵を回して施錠する錠の施錠を確認する施錠確認器具に関するものである。
【発明の概要】
【発明が解決しようとする課題】
【０００２】  施錠した後、時間の経過にしたがって、施錠したかの不安を解消し、施錠したかどうかの確認を容易に行うことができる施錠確認器具を提供することである。
【課題を解決するための手段】
【０００３】  上記課題を解決するために、本発明の施錠確認器具ではバンド４で手の甲側の手首に、水平に装着され、また、保持体７によって中空体６がバンド４に固着されており、施錠するときの鍵１の回転動作に伴ない回す方向に、回転によって生じる力を移動体５に与え、その移動体５が中空体６の中を設定した移動距離Ｂを移動し、移動体５に保持された接着体９と中空体６に固着されている接着体８が接着して図１、図２の（ｂ）状態になることで施錠を目視にて確認するものである。【０００４】  また、本発明の施錠確認器具では施錠前に、指３にて図１、図２の（ａ）状態に移動体５を移動させ、（ａ）状態を確認するようにした。【０００５】  また、本発明の施錠確認器具では移動距離Ｂはストッパスリーブ１０およびストッパスリーブ１１にて調整設定できるようにした。
【発明の効果】
【０００６】  本発明の施錠確認器具は手首に装着されているので施錠確認は容易で、何度も目視確認ができる。【０００７】  軽量に作られているので、手首に装着されていても、それ程の負担を感じずに装着でき、手首よりバンド４を外して、カバン類での持運びも容易である。
【図面の簡単な説明】
【０００８】
【図１】  本発明の実態形態を示す施錠確認器具の外観図で（ａ）は施錠前を示し、（ｂ）は施錠後を示している。
【図２】  （ａ）（ｂ）は各々図１（ａ）（ｂ）におけるＡ部分の概略断面図である。
【符号の説明】  １  鍵                  ２  手                  Ｂ  移動距離
３  指                  ４  バンド
５  移動体              ６  中空体
７  保持体              ８  接着体
９  接着体            １０  ストッパスリーブ
１１  ストッパスリーブ  １２  透明保護カバー
【発明を実施するための形態】
【０００９】  以下、本発明の実施の形態を図面に基づき説明する。
【００１０】  図１、図２は施錠時、鍵１を左方向に回すことにより施錠する状態を図示しているが、鍵１を右方向に回す場合は本図１、図２と１８０°対称に施錠確認器具を手首に装着することになる。
（１８０°対称図は図示せず）
【００１１】  図１、図２に図示した施錠時、鍵１を左方向に回すことにより施錠する形態について以下説明する。
【００１２】  図１に図示された鍵１、手２、指３は本発明の形態を説明するのに、分かり易くするために図示したが本発明品の範囲外である。
【００１３】  また、図１  図２に図示された移動距離Ｂも同様に本発明の形態を説明するのに、分かり易くするために図示した。
【００１４】  バンド４で手首に、水平に装着された施錠確認器具には保持体７によって中空体６がバンド４に固着されており、その中空体６には接着体８が固着されている。
【００１５】  一方、中空体６の中を移動する移動体５には移動距離Ｂを設定するため、接着体９を固着したストッパスリーブ１０およびストッパスリーブ１１が挿入嵌合され、保持されている。
【００１６】  移動体５の移動に支障をきたさないように透明保護カバー１２がバンド４に取り付けられている。
【００１７】  本発明は以上の構成よりなり、次に本発明を使用する場合を説明する。
【００１８】  図１、図２に示す如く、施錠前に本施錠確認器具を手の甲側の手首に、水平に装着し、（ａ）状態に有るか移動体５の位置を確認する。もし施錠確認器具が（ｂ）状態に有れば指３にて（ａ）状態に移動体５を移動させ（ａ）状態を確認する。
【００１９】  次に鍵１を錠に差し込み鍵１を回す動作に伴ない回す方向に、回転によって生じる力を移動体５に与え、その移動体５が中空体６の中を設定した移動距離Ｂを移動し、移動体５に保持された接着体９と中空体６に固着されている接着体８が接着して図１、図２の（ｂ）状態になることで施錠を目視で確認し、その後、鍵１を抜く。
【００２０】  また、移動距離Ｂは鍵の大きさ、人の力で差異があるのに適応するため、その移動距離Ｂを任意に設定できるようにストッパスリーブ１０、ストッパスリーブ１１の移動調整により設定する構造である。
【００２１】  施錠確認としては接着体８、接着体９の接着体同志の接着確認と同時に移動体５の移動距離Ｂ部に識別色（例えば赤色）を彩色することにより目視確認ができる構造である。
【００２２】  移動体５、中空体６、ストッパスリーブ１０、ストッパスリーブ１１は合成樹指製として軽量に考慮した。
【００２３】  接着体８、接着体９は共に磁性体を使用しているが、その磁性体の接着力は施錠確認時は確実に接着を維持し、また、施錠確認前には移動体５を移動させるときの接着をはがす作用に対して容易にはがせる接着力であることが望ましい。
【００２４】  接着体８、接着体９の材料は必ずしも磁性体に限られるものでなく、その他、例えばマジックバンド（商品名）類を用いることが可能である。
【００２５】  本発明の実施の形態を説明したが、本発明の範囲はこれに限定されるものではない。例えば腕時計の盤面内に施錠確認器具を組み込むことで、より便利性が発揮できる。
【００２６】  また、透明保護カバー１２に拡大鏡を取りつけることにより、小型化も可能である。
【産業上の利用可能性】
【００２７】  本発明の施錠確認器具は玄関の施錠確認に適応しているが鍵を回転して施錠を行う建築物や自動車の扉、金具やスーツケース、机、鞄等、日常生活のあらゆる物の確認にも広く利用することが可能である。
【図１】
2016151171.tif 000003
【図２】
2016151171.tif 000004